(57)【要約】【解決手段】釣針本体１においては、繊維をより合わせた留め糸４ａを針元２に結び付けて形成された結び目５の表面に発光体（蛍光塗料６ａを塗布した蛍光部６や、蛍光塗料を含有した発光シート）が設けられ、発光体の外周に通光可能な保護カバー７が被せられている。保護カバー７は、発光体の外周に直接、または、発光体の外周に被せたオーロラシートなどの通光シートの外周に通光チューブ８を被せたものである。【効果】各種用途の釣針において、釣針本体１自体が針元２で発光するため、より一層釣針本体１への食い付きを良くして集魚効果を高め、釣果アップに繋げることができる。【選択図】図１
2010207210.tif 000002
【特許請求の範囲】
【請求項１】
釣糸が結び付けられる針元から針先へ延設された釣針において、その針元に発光体を有することを特徴とする釣針。
【請求項２】
前記発光体は針元における釣糸の結び目に設けられていることを特徴とする請求項１に記載の釣針。
【請求項３】
前記発光体は、針元における釣糸の結び目に蛍光塗料または蓄光塗料または夜光塗料である発光塗料を塗布したものであることを特徴とする請求項２に記載の釣針。
【請求項４】
前記発光体は、針元における釣糸の結び目の外周に発光シートを巻いたものであることを特徴とする請求項２に記載の釣針。
【請求項５】
前記発光体には通光可能な保護カバーが被せられていることを特徴とする請求項１から請求項４のうちいずれか一つの請求項に記載の釣針。
【請求項６】
前記保護カバーは、前記発光体の外周に被せる通光チューブを有していることを特徴とする請求項５に記載の釣針。
【請求項７】
前記保護カバーは、前記発光体の外周に巻いた通光シートを有していることを特徴とする請求項５に記載の釣針。
【請求項８】
前記保護カバーは、前記通光シートの外周に被せる通光チューブを有していることを特徴とする請求項７に記載の釣針。
【請求項９】
前記釣糸において針元に結び付けられる部分には、繊維をより合わせた紐状の留め糸を有していることを特徴とする請求項１から請求項８のうちいずれか一つの請求項に記載の釣針。
【発明の詳細な説明】
【技術分野】
【０００１】
本発明はルアー等に取り付けられる釣針に関するものである。
【背景技術】
【０００２】
従来、下記特許文献１に記載された釣針では、釣糸が結び付けられる針元から針先へ延設された釣針本体から外れた釣糸に発光性チューブが挿通されている。このような発光性チューブにより、光量の少ない深度のある場所での釣りにおいて集魚効果があり、釣果アップに繋がることは知られている。
【先行技術文献】
【特許文献】
【０００３】
【特許文献１】特開平７ー１０７８８７号公報
【発明の概要】
【発明が解決しようとする課題】
【０００４】
上記特許文献１では、釣針本体自体が発光せず、針元から外れた釣糸でチューブが発光するだけであるため、釣針本体への食い付きが悪くなるおそれがあった。
この発明は、各種用途の釣針において、より一層釣針本体への食い付きを良くして集魚効果を高め、釣果アップに繋げることを目的としている。
【課題を解決するための手段】
【０００５】
後記実施形態の図面（図１に示す第１実施形態、図２に示す第２実施形態、図３に示す第３実施形態、図４に示す第４実施形態）の符号を援用して本発明を説明する。
請求項１の発明にかかる釣針は、第１〜４実施形態に対応し、釣糸４が結び付けられる針元２から針先３へ延設され、その針元２に発光体６，９を有する。請求項１の発明では、釣針本体１自体が針元２で発光体６，９により発光するため、釣針本体１への食い付きが良くなる。
【０００６】
請求項１の発明を前提とする請求項２の発明（第１〜４実施形態に対応）において、前記発光体６，９は針元２における釣糸４の結び目５に設けられている。請求項２の発明では、釣糸４の結び目５を有効に利用して発光体６，９を簡単に設けることができる。
【０００７】
請求項２の発明を前提とする請求項３の発明（第１，３実施形態に対応）において、前記発光体６は、針元２における釣糸４の結び目５に蛍光塗料または蓄光塗料または夜光塗料である発光塗料を塗布したものである。請求項３の発明では、発光塗料の塗布により結び目５に発光体６を簡単に設けることができる。
【０００８】
請求項２の発明を前提とする請求項４の発明（第２，４実施形態に対応）において、前記発光体は、針元２における釣糸４の結び目５の外周に発光シート９を巻いたものである。請求項４の発明では、発光シート９の巻装により結び目５に発光体を簡単に設けることができる。
【０００９】
請求項１から請求項４のうちいずれか一つの請求項の発明を前提とする請求項５の発明（第１〜４実施形態に対応）において、前記発光体６，９には通光可能な保護カバー７が被せられている。請求項５の発明では、保護カバー７により発光体６，９を保護することができる。
【００１０】
請求項５の発明を前提とする請求項６の発明（第１〜４実施形態に対応）において、前記保護カバー７は、前記発光体６，９の外周に被せる通光チューブ８を有している。請求項６の発明では、通光可能な保護カバー７を通光チューブ８により簡単に設けることができる。
【００１１】
請求項５の発明を前提とする請求項７の発明（第３，４実施形態に対応）において、前記保護カバー７は、前記発光体６，９の外周に巻いた通光シート１０を有している。請求項７の発明では、通光シート１０の色合を各種変更すれば、発光色に変化を付けて、釣針本体１への食い付きをより一層良くすることができる。
【００１２】
請求項７の発明を前提とする請求項８の発明（第１〜４実施形態に対応）において、前記保護カバー７は、前記通光シート１０の外周に被せる通光チューブ８を有している。請求項８の発明では、通光可能な保護カバー７を通光シート１０及び通光チューブ８により簡単に設けることができ、その通光シート１０により発光体６，９を保護することができるとともに、その通光チューブ８により通光シート１０を保護することができる。
【００１３】
請求項１から請求項８のうちいずれか一つの請求項の発明を前提とする請求項９の発明（第１〜４実施形態に対応）において、前記釣糸４において針元２に結び付けられる部分には、繊維をより合わせた紐状の留め糸４ａを有している。請求項９の発明では、繊維のより合わせにより、発光体６，９の付着性を高めることができる。
【発明の効果】
【００１４】
本発明は、各種用途の釣針において、釣針本体１自体が針元２で発光するため、前述した従来の釣針と比較して、より一層釣針本体１への食い付きを良くして集魚効果を高め、釣果アップに繋げることができる。
【図面の簡単な説明】
【００１５】
【図１】（ａ）（ｂ）（ｃ）（ｄ）（ｅ）はそれぞれ第１実施形態にかかる釣針の製造工程を示す正面図である。
【図２】（ａ）（ｂ）はそれぞれ第２実施形態にかかる釣針の製造工程を示す正面図である。
【図３】（ａ）（ｂ）はそれぞれ第３実施形態にかかる釣針の製造工程を示す正面図である。
【図４】（ａ）（ｂ）はそれぞれ第４実施形態にかかる釣針の製造工程を示す正面図である。
【発明を実施するための形態】
【００１６】
まず、本発明の第１実施形態にかかる釣針について図１を参照して説明する。
図１（ａ）に示す釣針本体１においては、金属線材が針元２から針先３へ湾曲されて延設され、その針元２でつけ根２ａに引掛部２ｂが形成されている。図１（ａ）に示す釣糸４は、繊維をより合わせた布紐状の留め糸４ａを有している。図１（ｂ）に示すように、この釣糸４の留め糸４ａを釣針本体１の針元２に結び付けると、その針元２に留め糸４ａの結び目５が形成される。図１（ｄ）に示すように、その結び目５の表面側に発光塗料の一種である蛍光塗料６ａを塗布すると、その結び目５に発光体としての蛍光部６が設けられる。また、図１（ｃ）に示すように、表面側に蛍光塗料６ａを塗布した留め糸４ａを釣針本体１の針元２に結び付けると、図１（ｄ）に示すように、その針元２に形成された結び目５に蛍光部６が設けられる。図１（ｅ）に示すように、通光可能な保護カバー７は樹脂により成形された通光チューブ８からなり、その通光チューブ８をこの蛍光部６に挿通して熱風により収縮させると、蛍光部６にこの通光チューブ８が被せられる。
【００１７】
次に、本発明の第２実施形態にかかる釣針について図２を参照して説明する。
図２（ａ）に示すように、発光体としての発光シート９は蛍光塗料を含有してシート状にした樹脂フィルムであって、その樹脂フィルムの裏側に粘着剤が塗布されている。この発光シート９は、図１（ｂ）に示す留め糸４ａの結び目５の外周に蛍光部として巻かれて粘着剤により接着されている。図２（ｂ）に示すように、通光可能な保護カバー７は樹脂により成形された通光チューブ８からなり、その通光チューブ８をこの発光シート９に挿通して熱風により収縮させると、発光シート９にこの通光チューブ８が被せられる。
【００１８】
次に、本発明の第３実施形態にかかる釣針について図３を参照して説明する。
図３（ａ）に示すように、図１（ｄ）に示す蛍光部６の外周に通光シート１０が巻かれている。この通光シート１０は通光可能なオーロラシートである。図３（ｂ）に示すように、通光可能な保護カバー７はこの通光シート１０と前記通光チューブ８とからなり、その通光チューブ８をこの通光シート１０に挿通して熱風により収縮させると、通光シート１０にこの通光チューブ８が被せられる。
【００１９】
次に、本発明の第４実施形態にかかる釣針について図４を参照して説明する。
図４（ａ）に示すように、図２（ａ）に示す発光シート９の外周に通光可能なオーロラシートである通光シート１０が巻かれている。図４（ｂ）に示すように、通光可能な保護カバー７はこの通光シート１０と前記通光チューブ８とからなり、その通光チューブ８をこの通光シート１０に挿通して熱風により収縮させると、通光シート１０にこの通光チューブ８が被せられる。
【００２０】
本実施形態は下記の効果を有する。
（１）  釣針本体１自体が針元２で蛍光部６や発光シート９などの発光体により発光するため、釣針本体１への食い付きを良くして集魚効果を高め、釣果アップに繋げることができる。
【００２１】
（２）  針元２に対する釣糸４の結び目５を有効に利用して蛍光部６や発光シート９などの発光体を簡単に設けることができる。
（３）  蛍光部６や発光シート９や通光シート１０に被せた通光チューブ８により、蛍光部６の蛍光塗料６ａや発光シート９や通光シート１０の剥離を防止することができる。また、蛍光部６や発光シート９に巻いた通光シート１０により、蛍光部６の蛍光塗料６ａや発光シート９の剥離を防止することができる。
【００２２】
（４）  通光可能な保護カバー７を通光チューブ８や通光シート１０により簡単に設けることができる。
（５）  蛍光塗料６ａの塗布により結び目５に蛍光部６を簡単に設けることができる。
【００２３】
（６）  発光シート９の巻装により結び目５に発光体を簡単に設けることができる。
（７）  発光シート９は、蛍光塗料６ａを塗布した蛍光部６と比較して、平坦な発光面により均一な発光を得ることができる。
【００２４】
（８）  各種の通光シート１０によりその色合を変更すれば、発光色に変化を付けて、釣針本体１への食い付きをより一層良くすることができる。例えば、暗い場所以外であっても太陽光をオーロラシートにより反射させて集魚効果をより一層高めることができる。
【００２５】
（９）  繊維をより合わせた布紐である留め糸４ａによる結び目５に蛍光塗料６ａを塗布したり発光シート９を巻装したりしたため、蛍光塗料６ａや発光シート９の付着性を高めて蛍光塗料６ａや発光シート９の剥離を防止することができる。
【００２６】
前記実施形態以外にも例えば下記のように構成してもよい。
・  第３，４実施形態において、通光シート１０としては、前記オーロラシート以外に、ホログラムシールや、あわび等の天然素材を含有してシート状にした樹脂フィルムなど、色合の変化を与えることができる各種のものに変更してもよい。
【００２７】
・  第１，３実施形態において、針元２の蛍光部６については、針元２における留め糸４ａの結び目５の表面側に蛍光塗料６ａを塗布することに代えて、蛍光塗料６ａ以外の発光塗料、例えば蓄光塗料または夜光塗料を塗布してもよい。
【００２８】
・  第２，４実施形態において、針元２の発光シート９については、蛍光塗料６ａ以外の発光塗料、例えば蓄光塗料または夜光塗料を含有して成形してもよい。
・  第１〜４実施形態において、通光チューブ８については、樹脂に発光塗料を含有して成形してもよい。
【００２９】
・  繊維をより合わせた紐の材質については、布繊維以外に金属繊維であってもよい。
・  ルアーに取り付ける釣針以外の釣針にも応用することができる。
【符号の説明】
【００３０】
１…釣針本体、２…針元、３…針先、４…釣糸、４ａ…留め糸、５…結び目、６…発光体としての蛍光部、６ａ…蛍光塗料、７…保護カバー、８…通光チューブ、９…発光体としての発光シート、１０…通光シート。
【図１】
2010207210.tif 000003
【図２】
2010207210.tif 000004
【図３】
2010207210.tif 000005
【図４】
2010207210.tif 000006